(57)【要約】  幾つかの実施形態は、無線装置におけるチャネル推定のための方法を提供する。該方法によれば、無線装置は、アンテナポートのセットまたはアンテナポートタイプのセットが少なくとも１つのチャネル特性を共有するという表示を得る（１０１０）。その後、無線装置は、セットに含まれるあるいはセット内のタイプのうちの１つに対応するタイプを有する第１のアンテナポートから受けられる第１の基準信号に少なくとも基づいて、共有されたチャネル特性のうちの１つ以上を推定する（１０２０）。更に、無線装置は、セットに含まれるあるいはセット内のタイプのうちの１つに対応するタイプを有する第２のアンテナポートから受けられる第２の基準信号に基づいてチャネル推定を行ない（１０３０）、チャネル推定が少なくとも推定されたチャネル特性を使用して行なわれる。
2015513238.tif 000002
【特許請求の範囲】
【請求項１】
無線装置におけるチャネル推定のための方法であって、
−アンテナポートのセットまたはアンテナポートタイプのセットが少なくとも１つのチャネル特性を共有するという表示を得るステップ（１０１０）と、
−セットに含まれるあるいはセット内のタイプのうちの１つに対応するタイプを有する第１のアンテナポートから受けられる第１の基準信号に少なくとも基づいて、共有されたチャネル特性のうちの１つ以上を推定するステップ（１０２０）と、
−セットに含まれるあるいはセット内のタイプのうちの１つに対応するタイプを有する第２のアンテナポートから受けられる第２の基準信号に基づいてチャネル推定を行うステップ（１０３０）であって、チャネル推定が少なくとも推定されたチャネル特性を使用して行なわれるステップ（１０３０）と
を備える方法。
【請求項２】
共有されたチャネル特性のうちの１つ以上の推定は、前記第２の基準信号と、セットに含まれるあるいはセット内のタイプのうちの１つに対応するタイプを有するそれぞれのアンテナポートから受けられる１つ以上の更なる基準信号とに基づいて合同で行なわれる、請求項１に記載の方法。
【請求項３】
前記１つ以上の更なる基準信号が第１の基準信号を備える請求項２に記載の方法。
【請求項４】
チャネル推定を行う前記ステップは、
−推定されたチャネル特性に基づいて推定フィルタを生成するステップと、
−チャネル推定値を得るために前記推定フィルタを前記第２の基準信号に適用するステップと
を備える、請求項１から３のいずれか一項に記載の方法。
【請求項５】
第２のチャネル推定値を得るために、セットに含まれるあるいはセット内のタイプのうちの１つに対応するタイプを有するアンテナポートから受けられる少なくとも１つの他の基準信号に対して前記推定フィルタを適用するステップを更に備える請求項４に記載の方法。
【請求項６】
前記表示は、アンテナポートのセットまたはアンテナポートタイプのセットがコロケートされると見なされ得ることを示す、請求項１から５のいずれか一項に記載の方法。
【請求項７】
表示を得る前記ステップ（１０１０）は、ネットワークノードからメッセージを受けるステップを備える、請求項１から６のいずれか一項に記載の方法。
【請求項８】
前記表示は、アンテナポートのセットまたはアンテナポートタイプのセットが少なくとも１つのチャネル特性を共有している１つ以上のリソースブロックグループを更に示し、示されたリソースブロックグループ全体に前記推定するステップ（１０２０）を行う、請求項７に記載の方法。
【請求項９】
前記表示は、アンテナポートのセットまたはアンテナポートタイプのセットが少なくとも１つのチャネル特性を共有している時間間隔を更に示し、示された時間間隔の間に前記推定するステップ（１０２０）を行う、請求項７または請求項８に記載の方法。
【請求項１０】
表示を得る前記ステップ（１０１０）は、規則に基づいてアンテナポートのセットまたはアンテナポートタイプのセットを決定するステップを備える、請求項１から６のいずれか一項に記載の方法。
【請求項１１】
直交カバー符号を使用して多重化された符号である基準信号を有するアンテナポートを同じセットの一部であると見なし、直交カバー符号を使用して多重化された符号ではない基準信号を有するアンテナポートを異なるセットの一部であると見なす、請求項１０に記載の方法。
【請求項１２】
前記チャネル特性は、信号対雑音比、遅延拡散、ドップラー拡散、受信されるタイミング、有意なチャネルタップの数のうちの１つ以上である、請求項１から１１のいずれか一項に記載の方法。
【請求項１３】
ネットワークノードにおける方法であって、
−アンテナポートのセットまたはアンテナポートタイプのセットが少なくとも１つのチャネル特性を共有するという表示を得るステップ（９１０，１１１０）と、
−セット内のアンテナポートまたはセット内に含まれるタイプを有するアンテナポートのうちの少なくとも２つに対応する信号を、同じ送信ポイントのセットから送信するステップ（９２０，１１２０）と
を備える方法。
【請求項１４】
アンテナポートのセットまたはアンテナポートタイプのセットの表示を、前記ネットワークノードにより扱われる少なくとも１つの無線装置へ送信するステップ（１１３０）を更に備える請求項１３に記載の方法。
【請求項１５】
表示を得る前記ステップ（９１０，１１１０）は、直交カバー符号を使用して多重化された符号である基準信号を送信するアンテナポートが同じセットの一部であることを決定するステップを備える、請求項１３または請求項１４に記載の方法。
【請求項１６】
前記表示は、システム情報、ＲＲＣメッセージ、または、ダウンリンク制御情報に含めて送信される、請求項１３から１５のいずれか一項に記載の方法。
【請求項１７】
前記表示は、アンテナポートのセットまたはアンテナポートタイプのセットが少なくとも１つのチャネル特性を共有している１つ以上のリソースブロックグループを更に示し、前記ネットワークノードは、セット内のアンテナポートまたはセット内に含まれるタイプを有するアンテナポートのうちの少なくとも２つに対応する信号を、同じ送信ポイントのセットから、示されたリソースブロックグループ全体に送信する（９２０，１１２０）、請求項１６に記載の方法。
【請求項１８】
前記表示は、アンテナポートのセットまたはアンテナポートタイプのセットが少なくとも１つのチャネル特性を共有している時間間隔を更に示し、前記ネットワークノードは、セット内のアンテナポートまたはセット内に含まれるタイプを有するアンテナポートのうちの少なくとも２つに対応する信号を、同じ送信ポイントのセットから、示された時間間隔の間に送信する（９２０，１１２０）、請求項１６または請求項１７に記載の方法。
【請求項１９】
前記アンテナポートタイプは、ポートにより送信される基準信号のタイプに対応するとともに、ＤＭＲＳ、ＣＳＩ−ＲＳ、ＣＲＳのうちの１つ以上を備える、請求項１３から１８のいずれか一項に記載の方法。
【請求項２０】
チャネル推定を行うための無線装置（１６００）であって、無線回路（１６１０）と処理回路（１６２０）とを備え、前記処理回路（１６２０）がチャネル解析器（１６４０）とチャネル推定器（１６５０）とを更に備えており、
−前記処理回路（１６２０）は、アンテナポートのセットまたはアンテナポートタイプのセットが少なくとも１つのチャネル特性を共有するという表示を得るように構成されており、
−前記チャネル解析器（１６４０）は、セットに含まれるあるいはセット内のタイプのうちの１つに対応するタイプを有する第１のアンテナポートから送信される第１の基準信号に少なくとも基づいて、共有されたチャネル特性のうちの１つ以上を推定するように構成されており、前記第１の基準信号は前記無線回路（１６１０）を介して受けられ、
−前記チャネル推定器（１６５０）は、セットに含まれるあるいはセット内のタイプのうちの１つに対応するタイプを有する第２のアンテナポートから送信される第２の基準信号に基づいてチャネル推定を行うように構成されており、チャネル推定は、少なくとも推定されたチャネル特性を使用して行なわれ、前記第２の基準信号は前記無線回路（１６１０）を介して受けられる、
無線装置（１６００）。
【請求項２１】
無線回路（１５１０）と処理回路（１５２０）とを備え、前記処理回路（１５２０）が、
−アンテナポートのセットまたはアンテナポートタイプのセットが少なくとも１つのチャネル特性を共有するという表示を得、
−前記無線回路（１５１０）を介して、セット内のアンテナポートまたはセットに含まれるタイプを有するアンテナポートのうちの少なくとも２つを、同じ送信ポイントから送信する
ように構成されている、ネットワークノード（１５００）。
【発明の詳細な説明】
【技術分野】
【０００１】
本発明は、改良されたチャネル推定のための方法および装置に関する。
【背景技術】
【０００２】
第３世代パートナーシッププロジェクト（３ＧＰＰ）は、汎用移動通信システム（ＵＭＴＳ）およびロングタームエボリューション（ＬＴＥ）の標準化に関与する。ＬＴＥに関する３ＧＰＰ作業は、発展型ユニバーサル地上波アクセスネットワーク（Ｅ−ＵＴＲＡＮ）とも称される。ＬＴＥは、ダウンリンクおよびアップリンクの両方で高いデータ転送速度に達することができる高速パケットベース通信を実現するための技術であり、ＵＭＴＳに対して次世代移動通信システムであると見なされる。高いデータ転送速度をサポートするため、ＬＴＥは、２０ＭＨｚのシステム帯域幅またはキャリアアグリゲーションが使用されるときには最大で１００Ｈｚのシステム帯域幅を可能にする。ＬＴＥは、異なる周波数帯域で動作することもでき、また、少なくとも周波数分割複信（ＦＤＤ）モードおよび時分割複信（ＲＤＤ）モードで動作することもできる。
【０００３】
ＬＴＥは、ダウンリンクにおいて直交周波数分割多重（ＯＦＤＭ）を使用するとともに、アップリンクにおいて離散フーリエ変換拡散（ＤＦＴ−拡散）ＯＦＤＭを使用する。基本的なＬＴＥ物理リソースは、図１に示されるように時間周波数グリッドと見なすことができ、この場合、各リソース要素は、（特定のアンテナポートにおける）１つのＯＦＤＭシンボル区間中の１つのサブキャリアに対応する。アンテナポートごとに１つのリソースグリッドが存在する。
【０００４】
アンテナポートは、アンテナポート固有の基準信号によって規定される「仮想」アンテナである。アンテナポートは、アンテナポートにおけるシンボルがチャネル全体に伝えられるチャネルを、同じアンテナポートにおける他のシンボルがチャネル全体に伝えられるチャネルから推測できるように、規定される。アンテナポートに対応する信号は、場合により、地理的に分布されてもよい幾つかの物理アンテナによって送信されてもよい。言い換えると、アンテナポートは、１または複数の送信ポイントから送信されてもよい。逆に、１つの送信ポイントは、１または複数のアンテナポートを送信してもよい。以下において、アンテナポートは、置き換え可能に「ＲＳポート」と称される。
【０００５】
時間領域において、ＬＴＥダウンリンク送信は、１０ｍｓの無線フレームへと編成され、各無線フレームは、図２に示されるように１ｍｓの同じ大きさのサブフレーム１０個から成る。１つのサブフレームは、それぞれが０．５ｍｓの持続時間を有する２つのスロットへ分けられる。
【０００６】
ＬＴＥにおけるリソース割り当てがリソースブロックに関して記載されており、この場合、リソースブロックは、時間領域の１つのスロットと、周波数領域の１２個の隣接する１５ｋＨｚサブキャリアとに対応する。２つの時間的に連続するリソースブロックは、スケジューリングが作用する時間間隔に対応するリソースブロック対を表わす。
【０００７】
ＬＴＥにおける送信は、各サブフレームにおいて動的にスケジューリングされる。基地局は、物理ダウンリンク制御情報（物理ダウンリンク制御チャネル、ＰＤＣＣＨ、および、エンハンスドＰＤＣＣＨ、ｅＰＤＣＣＨ）によってダウンリンク割り当て／アップリンクグラントを特定のＵＥへ送信する。ＰＤＣＣＨは、各サブフレームにおける第１のＯＦＤＭシンボルで送信されるとともに、システム帯域幅のほぼ全体に及ぶ。ＰＤＣＣＨにより運ばれるダウンリンク割り当てをデコードしたＵＥは、サブフレーム内のいずれのリソース要素がＵＥに仕向けられたデータを含むのかを知っている。同様に、ＵＥは、アップリンクグラントを受けると、いずれの時間／周波数リソースでそれが送信すべきかを知っている。ＬＴＥダウンリンクにおいて、データは、物理ダウンリンク共有データリンク（ＰＤＳＣＨ）によって運ばれ、また、アップリンクでは、対応するリンクが物理アップリンク共有チャネル（ＰＵＳＣＨ）と称される。
【０００８】
受信データの復調は、基準信号（ＲＳ）を使用して行なわれる無線チャネルの推定を必要とする。基準信号は一群の基準シンボルを備え、また、これらの基準シンボルおよびそれらの時間−周波数グリッド内における位置は、受信器に知られている。ＬＴＥでは、セル固有の基準信号（ＣＲＳ）が全てのダウンリンクサブフレームで送信される。これらの基準信号は、ダウンリンクチャネル推定を支援することに加えて、ＵＥによって行なわれる測定、例えば移動性測定のためにも使用される。リリース１０の時点で、ＬＴＥは、ＰＤＳＣＨの復調のためのチャネル推定を支援することに仕向けられたＵＥ固有のＲＳ、および、ＵＥからのチャネル状態情報（ＣＳＩ）フィードバックの目的でチャネルを測定するためのＲＳもサポートする。後者はＣＳＩ−ＲＳと称される。ＣＳＩ−ＲＳは、全てのサブフレームで送信されるとは限らず、一般に、復調のために使用されるＲＳよりも時間および周波数がまばらである。ＣＳＩ−ＲＳ送信は、ＲＲＣ設定周期性パラメータおよびＲＲＣ設定サブフレームオフセットにしたがって、５番目、１０番目、２０番目、４０番目、または、８０番目ごとに起こってもよい。
【０００９】
図３は、物理制御・データチャネルおよび基準信号のマッピングがダウンリンクサブフレーム内のリソース要素でどのように行なわれ得るのかを示す。この例において、ＰＤＣＣＨは、３つの想定し得るＯＦＤＭシンボルからの第１のＯＦＤＭシンボルを占め、したがって、この特定のケースでは、データのマッピングが既に第２のＯＦＤＭシンボルで始まり得る。ＣＲＳはセル内の全てのＵＥに共通であるため、ＣＲＳの送信を特定のＵＥのニーズに適合するように容易に適応させることができない。これは、各ＵＥがＰＤＳＣＨの一部として図３のデータ領域内に配置されたそれ自体のＲＳを有するＵＥ固有のＲＳとは対照的である。
【００１０】
接続モードで動作するＵＥは、チャネル状態情報（ＣＳＩ）を報告するように、例えば適したランクインジケータ（ＲＩ）、１つ以上のプレコーディングマトリクスインデックス（ＰＭＩ）、および、チャネル品質インジケータ（ＣＱＩ）を報告するように基地局により求められてもよい。明示的チャネルフィードバックおよび干渉共分散フィードバックを含む他のタイプのＣＳＩも考えられる。ＣＳＩフィードバックは、送信のためのサブフレームおよびＲＢを決定すること、いずれの送信スキーム／プリコーダを使用すべきかを含むスケジューリングにおいて基地局を支援するとともに、送信に適したユーザビットレートの情報（リンク適応）も与える。リソースブロック対内のいずれのリソース要素がＵＥ固有のＲＳおよびＣＳＩ−ＲＳによって潜在的に占められ得るのかについての詳細な例示が図４に示される。ＣＳＩ−ＲＳは、２つの連続するＲＥで、２アンテナポート〜２アンテナポートを超える長さの直交カバー符号を利用する。図示のように、多くの異なるＣＳＩ−ＲＳパターンが利用できる。２つのＣＳＩ−ＲＳアンテナポートのケースに関して、我々は、１つのサブフレーム内に２０個の異なるパターンが存在することを理解できる。パターンの対応する数は、４個および８個のＣＳＩ−ＲＳアンテナポートにおいてそれぞれ１０個および５個である。ＴＤＤにおいては、幾つかの更なるＣＳＩ−ＲＳパターンを利用できる。
【００１１】
ヘテロジニアスネットワーク動作のためのサポートの向上は、３ＧＰＰ  ＬＴＥリリース１０の現行の仕様の一部であり、また、リリース１１のための新たな特徴との関連で更なる改良が論じられる。ヘテロジニアスネットワークでは、サイズが異なる重複するカバレッジエリアのセルの混合が展開される。そのような展開の１つの例が図５に示され、この場合、マクロセルのカバレッジエリア内でピコセルが展開される。ヘテロジニアスネットワーク内のポイントとも称される低電力ノードの他の例は、ホーム基地局およびリレーである。マクロカバレッジエリア内でピコ基地局などの低電力ノードを展開する目的は、セル分割ゲインを用いてシステム能力を高めること、および、非常に高速のデータアクセスの広域経験をネットワーク全体にわたってユーザに与えることである。ヘテロジニアス展開は、トラフィックホットスポット、すなわち、例えばピコセルにより扱われるユーザ密度が高い小さい地理的領域をカバーするために特に有効であり、また、ヘテロジニアス展開は、より密度が高いマクロネットワークへの別の展開に相当する。
【００１２】
ネットワークを展開する伝統的な方法は、異なる送信／受信ポイントに別個のセルを形成させることである。すなわち、１つのポイントから送信されるあるいは１つのポイントで受信される信号は、他の隣接するポイントのために使用されるセル−ｉｄとは異なるセル−ｉｄと関連付けられる。一般に、各ポイントは、放送信号（ＰＢＣＨ）および同期信号（ＰＳＳ，ＳＳＳ）のためのそれ自体の固有の信号を送信する。
【００１３】
各ポイントごとに１つのセル−ｉｄを有する前述した伝統的な方策は、多くの低電力（ピコ）ポイントが高電力マクロポイントのカバレッジエリア内に配置されるヘテロジニアス展開に関して図６に描かれる。同様の原理が伝統的なマクロセルラー展開に適用され、この場合、全てのポイントは、同様の出力を有するとともに、ヘテロジニアス展開に関して当てはまるものよりも規則的な態様で配置され得る。
【００１４】
伝統的な展開方策に代わる手段は、代わりに、高電力マクロポイントのカバレッジにより輪郭付けられる地理的領域内の全てのＵＥが同じセル−ｉｄと関連付けられる信号を用いて扱われるようにすることである。言い換えると、ＵＥ観点からは、受信信号が単一のセルからくるように見える。これが図７に示される。なお、１つのマクロポイントのみが示されるが、他のマクロポイントは、一般に、それらがマクロサイトの他のセクタに対応する同じサイトでコロケートされなければ、異なるセル−ｉｄ（異なるセルに対応する）を使用する。幾つかのコロケートされたマクロポイントの後者のケースでは、同じセル−ｉｄが、コロケートされたマクロポイントと、マクロポイントのカバレッジエリアの結合に対応するピコポイントとにわたって共有されてもよい。同期信号、ＢＣＨ信号、および、制御信号は全てが高電力ポイントから送信され、その間に、ＵＥ固有のＲＳに依存する共有データ送信（ＰＤＳＣＨ）を使用することによってデータを低電力ポイントからもＵＥへ送信できる。そのような手法は、ＵＥ固有のＲＳに基づいてＰＤＳＣＨを受信できるという利点をそれらのＵＥに関して有する。ＰＤＳＣＨにおけるＣＲＳのみをサポートするＵＥ（ＦＤＤのための全てのリリース８／９ＵＥを少なくとも含む可能性が高い）は、高電力ポイントからの送信を受け入れなければならず、したがって、更なる低電力ポイントの展開からのダウンリンクにおいて利益を得ない。
【００１５】
単一セル−ｉｄ手法は、同じセルに関連付けられるポイント間の高速バックホール通信が存在する状況に適合される。典型的なケースは、１つ以上のセクタをマクロレベルで扱い且つ同じセル−ｉｄを共有する他のポイントの役目を果たすリモートラジオユニット（ＲＲＵ）への高速ファイバ接続を有する基地局である。これらのＲＲＵは、１つ以上のアンテナをそれぞれが伴う低電力ポイントに相当し得る。他の例は、全てのポイントが同様の電力クラスを有し、単一のポイントが他のポイントよりも重要性を有さない場合である。このとき、基地局は、全てのＲＲＵからの信号を同様の態様で扱う。
【００１６】
伝統的な手法と比較した共有セル手法の明確な利点は、セル間で一般に関与するハンドオーバー手続きがマクロベースでのみ引き起こされれば済むという点である。他の重要な利点は、ＣＲＳを全てのポイントから送信する必要がないため、ＣＲＳからの干渉が大幅に減少されるという点である。また、ポイント間の調整およびスケジューリングにおける柔軟性も非常に大きい。
【００１７】
ポイントの概念は、協調マルチポイント（ＣｏＭＰ）のための技術に関連して著しく使用される。本開示において、ポイント（「送信ポイント」および／または「受信ポイント」とも称される）は、本質的に同じ地理的領域を同様の態様でカバーするアンテナのセットに対応する。したがって、１つのポイントは、１つのサイトにおけるセクタのうちの１つに対応し得るが、それは、全てが同様の地理的領域をカバーするようになっている１つ以上のアンテナを有する１つのサイトにも対応し得る。しばしば、異なるポイントが異なるサイトに相当する。アンテナは、それらが地理的に十分に分離されるおよび／または十分に異なる方向に向くアンテナダイヤグラムを有するときには異なるポイントに対応する。
【００１８】
ＣｏＭＰのための技術は、スケジューリングの観点から１つのポイントが互いにほぼ独立に動作される従来のセルラーシステムとは対照的に、異なるポイント間のスケジューリングまたは送信／受信に依存性を導入することを伴う。ＤＬ  ＣｏＭＰの１つの基本的な特性は、異なる地理的場所から異なる信号および／またはチャネルを送信できる可能性である。ＬＴＥシステムの設計をガイドする原理のうちの１つは、ＵＥに対するネットワークの透過性である。言い換えると、ＵＥは、他のＵＥまたはネットワーク展開のスケジューリング割り当ての特定の知識を伴うことなくその意図されるチャネルを復調してデコードできなければならない。
【００１９】
例えば、異なるＣＳＩ−ＲＳパターンが異なる送信ポイントに属するポートから送信されてもよい。そのようなパターンに基づくフィードバックは、例えば、ポイント選択のため、および／または、プレコーディング重みおよびＣｏＭＰスケジューリングの最適化のために利用されてもよい。あるいは、複数のポイントのための合同空間情報を含む集合フィードバックを生成するために、同じＣＳＩ−ＲＳパターンが異なる送信ポイントによって合同で送信されてもよい。いずれにせよ、ＵＥは、一般に、各アンテナポートが送信される地理的場所を認識しない。
【００２０】
ＣＲＳは、一般に、ポイントの静的なセットから送信される。それにもかかわらず、特定の展開においては、異なる地理的場所から異なるＣＲＳポートを送信することができる。この技術の１つの用途は分散展開においてであり、この場合、同じノードに属する送信アンテナがコロケートされない態様で展開される。
【００２１】
ＤＭＲＳまたはＵＥ固有のＲＳは、データチャネルおよび場合により特定の制御チャネル（ｅＰＤＣＣＨ）の復調のために使用される。データは、他の情報とは異なるポイントから送信されてもよい（例えば制御信号送信）。これは、ＵＥ固有のＲＳの使用の背後にある主要なドライバのうちの１つであり、該ドライバは、送信の特性の多くを知らなければならないことからＵＥを解放し、したがって、柔軟な送信方式をネットワーク側から使用できるようにする。これは（ＵＥに対する）送信透過性とも称される。しかしながら、問題は、幾つかの状況においてＵＥ固有のＲＳの推定精度が十分でない場合があるという点である。また、特にＣｏＭＰおよび／または分散展開の場合に、特定のＵＥのためのＤＭＲＳが地理的に分離されたポートから送信される場合がある。
【００２２】
当該技術分野においては、チャネル推定を向上させるための機構の必要性がある。
【発明の概要】
【発明が解決しようとする課題】
【００２３】
幾つかの実施形態の目的は、特にＣｏＭＰシナリオにおけるチャネル推定の向上のための機構を提供することである。
【課題を解決するための手段】
【００２４】
幾つかの実施形態は、無線装置におけるチャネル推定のための方法を提供する。この方法によれば、無線装置は、アンテナポートのセットまたはアンテナポートタイプのセットが少なくとも１つのチャネル特性を共有するという表示を得る。その後、装置は、共有されたチャネル特性のうちの１つ以上を推定する。推定は、セットに含まれるあるいはセット内のタイプのうちの１つに対応するタイプを有する第１のアンテナポートから受けられる第１の基準信号に少なくとも基づく。また、無線装置は、セットに含まれるあるいはセット内のタイプのうちの１つに対応するタイプを有する第２のアンテナポートから受けられる第２の基準信号に基づいてチャネル推定を行う。チャネル推定は、少なくとも推定されたチャネル特性を使用して行なわれる。
【００２５】
特定の実施形態において、無線装置は、表示を含むメッセージをネットワークノードから受ける。他の実施形態では、セットが規則に基づいて決定される。
【００２６】
したがって、幾つかの実施形態において、無線装置は、特定のアンテナポートのコロケーションを想定することにより、他のアンテナポートのための推定において、１つのアンテナポートのための推定されたチャネル特性を使用することができる。特定の例において、装置は、２つ以上のアンテナポートに基づいて合同推定を行ってもよく、それにより、推定精度が向上する。他の例において、装置は、１つのポートのための推定された特性をセット内の他のポートに適用してもよく、それにより、高速推定プロセスをもたらすことができる。
【００２７】
幾つかの実施形態は、ネットワークノードにおける方法を提供する。方法は、アンテナポートのセットまたはアンテナポートタイプのセットが少なくとも１つのチャネル特性を共有するという表示を得ることを含む。このとき、ネットワークは、セット内のアンテナポートまたはセット内に含まれるタイプを有するアンテナポートのうちの少なくとも２つに対応する信号を同じ送信ポイントのセットから送信する。
【００２８】
したがって、幾つかの実施形態において、ネットワークノードは、特定のアンテナポートがコロケートされるようにすることにより、無線装置が向上されたチャネル推定を行うことができるようにする。
【００２９】
幾つかの実施形態は、チャネル推定を行うための無線装置を提供する。装置は無線回路と処理回路とを備える。処理回路は、チャネル解析器とチャネル推定器とを更に備える。処理回路は、アンテナポートのセットまたはアンテナポートタイプのセットが少なくとも１つのチャネル特性を共有するという表示を得るように構成される。チャネル解析器は、セットに含まれるあるいはセット内のタイプのうちの１つに対応するタイプを有する第１のアンテナポートから送信される第１の基準信号に少なくとも基づいて共有されたチャネル特性のうちの１つ以上を推定するように構成され、第１の基準信号は無線回路を介して受けられる。チャネル推定器は、セットに含まれるあるいはセット内のタイプのうちの１つに対応するタイプを有する第２のアンテナポートから送信される第２の基準信号に基づいてチャネル推定を行うように構成され、チャネル推定は、少なくとも推定されたチャネル特性を使用して行なわれ、また、第２の基準信号は無線回路を介して受けられる。
【００３０】
幾つかの実施形態は、無線回路と処理回路とを備えるネットワークノードを提供する。処理回路は、アンテナポートのセットまたはアンテナポートタイプのセットが少なくとも１つのチャネル特性を共有するという表示を得るように構成される。また、処理回路は、無線回路を介して、セット内のアンテナポートまたはセットに含まれるタイプを有するアンテナポートのうちの少なくとも２つを、同じ送信ポイントから送信するように更に構成される。
【図面の簡単な説明】
【００３１】
【図１】ＬＴＥダウンリンク物理リソースを示す概略図である。
【図２】ＬＴＥ時間領域構造を示す概略図である。
【図３】ＬＴＥダウンリンクサブフレームを示す概略図である。
【図４】想定し得る基準信号パターンを示す概略図である。
【図５】マクロセルおよびピコセルの展開の一例を示す概略図である。
【図６】ヘテロジニアス展開の一例を示す概略図である。
【図７】ヘテロジニアス展開の他の例を示す概略図である。
【図８】無線通信システムを例示する概略図である。
【図９】ネットワークノードにおける方法例を示すフローチャートである。
【図１０】無線装置における方法例を示すフローチャートである。
【図１１】ネットワークノードにおける方法例を示すフローチャートである。
【図１２】無線装置における方法例を示すフローチャートである。
【図１３】ネットワークノードにおける方法例を示すフローチャートである。
【図１４】ネットワークの一例を示す概略図である。
【図１５】ネットワークノードの一例を示すブロック図である。
【図１６】無線装置の一例を示すブロック図である。
【発明を実施するための形態】
【００３２】
前述したように、基準信号は、地理的に分離されたポートから送信されてもよい。ＲＳポートの地理的な分離は、各ポートからＵＥへと向かう瞬間チャネル係数が一般的に異なることを意味する。また、異なるポートおよびＲＳタイプのためのチャネルの統計的特性でさえかなり異なる場合がある。そのような統計的特性の例としては、各ポートにおけるＳＮＲ、遅延拡散、ドップラー拡散、受信タイミング（すなわち、最初の有意なチャネルタップのタイミング）、および、有意なチャネルタップの数が挙げられる。ＬＴＥにおいては、アンテナポートに対応するチャネルの特性について、他のアンテナポートのチャネルの特性に基づいて何も想定することができない。これは、実際には、送信透過性を維持する重要な部分である。
【００３３】
先の所見に基づき、ＵＥは、それぞれのＲＳごとに対象の各ＲＳポートに関して独立した推定を行う必要がある。これは、特定のＲＳポートに関して不適切なチャネル推定品質をもたらし、それにより、望ましくないリンクおよびシステム性能劣化を引き起こす場合がある。推定精度にも間接的に影響を及ぼす関連する問題は、特にＣｏＭＰシナリオにおいてＵＥがＤＭＲＳポートの他のＲＳポートとのコロケーションを想定できないことである。
【００３４】
本明細書中に開示される幾つかの実施形態は、チャネル推定器実施がグループ内の異なるＲＳポートおよび／またはＲＳタイプにおいて共通のチャネル特性を利用できるようにするために、ＲＳポートグループ分けに関する選択された情報をＵＥに与える。情報は、例えば、特定のアンテナポートに対応するチャネル推定値を形成するためにいずれの基準信号が互いに組み合わせて使用されると想定され得るのかの信号送信を含む。同様であるが別の言い方をすると、いずれのアンテナポートが、対象のアンテナポートのためのシンボルがチャネル全体に伝えられるチャネルの特性を推測するために利用され得るチャネルを有すると想定され得るか。すなわち、ＵＥには、幾つかのアンテナポートにおける基準信号を使用して他のアンテナポートのためのチャネルのチャネル推定を支援できることを想定し得るという信号が送信されてもよい。
【００３５】
そのような相互依存性を示すチャネルを有するアンテナポートは、グループを形成すると言われ得る。実際に、この想定により、ＵＥは、チャネルの少なくとも幾つかの統計的特性が異なるアンテナポートにわたって類似していることを想定できる。そのような情報により、ＵＥは、チャネル特性を合同で推定できるとともに、対応するチャネル推定値における推定精度を高めることができる。したがって、特定の実施形態は、チャネル推定が適用できるときに合同チャネルパラメータを可能にすることによって、チャネル推定の向上を可能にする。
【００３６】
ネットワークは、一般に、例えばＣＲＳ、ＤＭＲＳ、ＣＳＩ−ＲＳを含む基準信号の異なるタイプに基づいて様々な信号および／またはチャネルの受信を支援するためにＵＥを構成する。場合により、ＲＳは、例えばリンク適応およびスケジューリングのためにＵＥによってネットワークへ報告されるべき伝搬パラメータおよび好ましい送信特性の推定のために利用されてもよい。
【００３７】
ここで、一般には各アンテナポートから各ＵＥ受信ポートまでのチャネルは実質的に１つしか存在しないにもかかわらず、幾つかの統計的特性および伝搬パラメータは、異なるアンテナポートが同じポイントから生じるか否かに応じて、異なるアンテナポート間で共通または類似な場合があることが観察される。そのような特性としては、例えば、各ポートにおけるＳＮＲレベル、遅延拡散、ドップラー拡散、受信タイミング（すなわち、最初の有意なチャネルタップのタイミング）、および、有意なチャネルタップの数が挙げられる。
【００３８】
一般に、チャネル推定アルゴリズムは３ステップ作業を行う。第１のステップは、チャネルの統計的特性のうちの幾つかの推定から成る。第２のステップは、そのようなパラメータに基づいて推定フィルタを生成することから成る。第３のステップは、チャネル推定値を得るために推定フィルタを受信信号に適用することから成る。フィルタは、時間領域または周波数領域で同等に適用されてもよい。幾つかのチャネル推定器実施は、前述した３つのステップ方法に基づかなくてもよいが、依然として同じ原理を利用する。
【００３９】
無論、第１のステップにおけるフィルタパラメータの正確な推定は、チャネル推定の向上をもたらす。ＵＥが単一のサブフレームにわたる１つのＲＳポートに関するチャネルの観察からそのようなフィルタパラメータを得ることが原理的にしばしば可能であるにもかかわらず、通常は、ＵＥは、類似の統計的特性を共有する異なるアンテナポート（すなわち、異なるＲＳ送信）と関連付けられる測定値を組み合わせることによってフィルタパラメータ推定精度を向上させることができる。ここで、ネットワークは、一般に、アンテナポートが物理的ポイントに対してどのようにマッピングされるかについてのその知識に基づいて、いずれのＲＳポートが類似の特性を有するチャネルと関連付けられるのかを認識し、一方、ＵＥは、先験的に、ネットワーク透過性原理によりそのような情報を認識しないことが観察される。
【００４０】
幾つかの実施形態は、ＵＥにおけるチャネル推定の向上を可能にするために、ダウンリンク信号送信において情報を含むことを備える。より具体的には、ネットワークからＵＥへの信号送信は、特定のアンテナポートで信号を復調する際にいずれの基準信号および／またはアンテナポートおよび／またはＲＳタイプが一緒に使用されるとＵＥによって想定され得るのかについての情報、すなわち、いずれのアンテナポートが類似のチャネル特性を共有すると想定され得るのかについての情報を含む。その後、ＵＥは、そのような情報を利用して、類似の特性を有するチャネルのうちの少なくとも一部に関して合同チャネル推定または部分的合同チャネル推定を行ってもよい。
【００４１】
しばしば、同じポイントから送信されるＲＳに関連付けられるチャネルは、類似の統計的特性および伝搬特徴を共有する。したがって、１つの例において、ネットワークは、共通のポイントから送信されるＲＳの少なくともサブセットを信号送信によってＵＥへ知らせてもよい。
【００４２】
類似のチャネル特性と関連付けられるＲＳポートのＵＥへの信号送信は、異なる方法で規定されてもよい。１つの例において、ネットワークは、半静的なＲＲＣ信号送信において、類似の特性を共有するＲＳポートおよびＲＳタイプの少なくとも一部のためのインデックスを含む。同じインデックスと関連付けられるＲＳポートは、類似のチャネル特性と関連付けられるとＵＥによって想定される。
【００４３】
他の例では、ＲＳポートの特定のサブセットが同じチャネルに関連付けられるかどうかを信号で送るべく信号送信フラグが使用される。
【００４４】
他の例では、特定のＲＳタイプ（例えば、ＣＲＳ、ＤＭＲＳ、ＣＳＩ−ＲＳ）が他のチャネルタイプの一部の類似のチャネル特性を共有すると想定され得るかどうかを信号で送るべく更なるビットが与えられてもよい。１つの例において、フラグは、ＤＭＲＳポートおよび／またはＣＳＩ−ＲＳポートの少なくとも一部のために与えられる。そのようなフラグが使用可能である場合、ＵＥは、全ての対応するＲＳポートがＣＲＳと類似のチャネル特性を共有すると想定する。
【００４５】
更なる例において、ＲＳポートのサブセットごとに２つのフラグが与えられ、そのようなフラグの一方は、全ての関連するポートが類似のチャネル特性を共有することを示し、他方のフラグは、関連するポートがＣＲＳポートの少なくとも一部と類似のチャネル特性を共有することを示す。
【００４６】
少なくとも部分的に依存するアンテナポートの信号送信グループ分けの柔軟性は変化可能であり、また、１つの実施形態において、その柔軟性は、異なるタイプのアンテナポート間の信号送信依存関係に基づいてもよい。例えば、ＣＲＳが送信されるアンテナポートにおけるチャネルは、ＵＥ固有のＲＳ（例えばＤＭＲＳ）を送信するアンテナポートにおけるチャネルの特性を推測するために使用されてもよい。あるいは、ＣＳＩ−ＲＳは、ＵＥ固有のＲＳを伝えるアンテナポートのためのチャネルの推定を支援するために利用されてもよい。
【００４７】
あるいは、前述した例の全ての信号送信は、スケジューリング割り当てによって、例えばＤＣＩフォーマットによって動的に伝えられてもよい。そのような場合、ＰＤＣＣＨは、ＲＲＣ信号送信（もしあれば）によって示されるＲＳ特性に基づいてデコードされるべきであり、また、一方、スケジューリンググラントによって示される更なるＲＳ特性は、ＰＤＳＣＨ復調のために利用される。動的な信号送信は、特定の送信でＤＭＲＳ／ＵＥ特有のＲＳチャネル推定を支援して動的なポイント選択のための効率的なサポートを与える際にいずれのＣＳＩ−ＲＳリソース（または、ＣＲＳがいずれのセルと関連付けられるのかを特定するための情報を含むＣＲＳ）が使用できるとＵＥによって想定され得るのかを信号送信することさえも含むことができる。
【００４８】
また、先の例は、更なる柔軟性のために組み合わされてもよい。
【００４９】
更なる例において、ネットワークは、ＲＳ特性のグループ分けをチャネル特性のサブセットおよび他の基準に基づいて行ってもよい。
【００５０】
１つの可能性は、直交符号（例えば、ＯＣＣ）の使用によって直交にされるＲＳポートが常に類似のチャネル特性を共有することを規定することである。そのような想定は、先験的に静的に規定されてもよく、あるいは、ネットワークによって半静的な態様で信号送信されてもよい。
【００５１】
他の例において、ネットワークは、そのようなＲＳポートが同じ極性を有するコロケートされたアンテナと関連付けられるときにＲＳポートのサブセットが類似の伝搬特性を共有することをＵＥに信号送信する。
【００５２】
更なる例において、ネットワークは、チャネル特性の限られたセット（例えば、タイミングおよび／またはドップラーおよび／または遅延拡散および／またはＳＮＲ）がＲＳポートのサブセットによって共有されることをＵＥへ信号送信する。前述した信号送信手続きの一部は、チャネル特性のいずれのセットが示されたＲＳポートに共通であるとＵＥによって想定されるべきかの規定に加えて利用されてもよい。
【００５３】
この開示の文脈の中で、用語「共有チャネル特性」、「共有チャネルパラメータ」または「共有伝搬パラメータ」は、１つのアンテナポートに対応するチャネルのための伝搬パラメータ、すなわちチャネル特性の値が、他のアンテナポートに対応するチャネルのための同じパラメータの値と同じであるあるいは類似であることを意味する。この場合、「類似」とは、許容誤差のマージンと見なされてもよい所定量未満だけ値が異なることを意味する。したがって、共有特性は十分に同じあるいは類似であるため、これらの共有特性は、許容できる精度を伴う任意のチャネルのためのチャネル推定のために使用されてもよい。別の言い方をすれば、共有特性は、対応するＲＳポートのための共通の特性としてそれらを合同で推定することにより推定の向上を可能にするように十分に類似である。
【００５４】
更なる例では、信号送信オーバーヘッドを減らすために、同じタイプの特定のＲＳポートに関してＲＳポートのグループ分けが先験的に規定される。これにより、ＵＥは、専用の信号送信を必要とすることなく、そのようなグループ分けのために共通のチャネル特性を利用できる。前述の信号送信技術の一部も使用される場合には、それぞれのポートごとに個別にチャネル特性を信号送信するのではなく、ＲＳポートの先験的に規定されたグループ間のチャネル特性共通性を信号送信することができる。そのようなハードコードされた依存性は、実際には、対応するポートがネットワークにより同じポイントから送信されることを命じる。
【００５５】
また、幾つかの実施形態は、同期信号（例えば、ＳＳＳおよび／またはＰＳＳ）と幾つかのＲＳポートとの間の先験的なタイミング関係を規定する可能性を含み、それにより、ＵＥは、同期信号からＲＳタイミングを推測できる。したがって、ＵＥは、同期信号およびＲＳポートのためのタイミング推定を関連するタイミングと結びつけることができる。タイミング関係は、例えば、所定のタイミング差範囲および／またはオフセットに関して表わされてもよい。
【００５６】
図８は、本発明の様々な実施形態が実施されてもよい無線通信システム８００を示す。３つのネットワークノード８２０，８５０，８７０が示される。ネットワークノード８２０は２つの送信ポイント８３０，８４０を制御する。同様に、ネットワークノード８５０は１つの送信ポイント８６０を制御し、また、ネットワークノード８７０は送信ポイント８８０，８９０を制御する。以下では、説明のため、限定目的ではなく、通信システム８００がＬＴＥシステムであると想定され、また、ネットワークノード８２０，８５０，８７０がｅＮｏｄｅＢであると想定される。送信ポイントは、ｅＮｏｄｅＢの別個のアンテナ、例えば
セクタアンテナに対応してもよく、また、これらの送信ポイントは、それぞれのｅＮｏｄｅＢに接続されるリモートラジオユニット（ＲＲＵ）であってもよい。図示の送信ポイントの数は、限定的であると解釈されるべきでない。言うまでもなく、一般的に言えば、各ネットワークノードは、ネットワークノードと物理的にコロケートされてもよいあるいは地理的に分布されてもよい１つ以上の送信ポイントを制御してもよい。また、この例は、異なる送信ポイントが異なるネットワークノードにより制御されていることを示すが、他の想定し得るシナリオは、１つの単一のネットワークノードが幾つかのあるいは更には全ての送信ポイント８３０，８４０，８６０，８８０，８９０を制御することである。図８に示されるシナリオでは、ネットワークノード８２０，８５０，８７０の一部または全てが送信および受信の想定し得る調整のために情報をやりとりできるように例えば転送ネットワークによって接続されることが想定される。
【００５７】
通信システム８００は２つの無線装置８１０，８１２を更に備える。本開示の文脈の中で、用語「無線装置」は、基地局などのネットワークノードと通信できるあるいは無線信号を送信するおよび／または受信することによって他の無線装置と通信できる任意のタイプの無線ノードを包含する。したがって、用語「無線装置」は、ユーザ機器、携帯端末、機械同士の通信のための固定または移動通信装置、一体型または埋め込み型無線カード、外部から差し込まれる無線カード、ドングルなどを包含するが、これらに限定されない。無線装置は、ネットワークノード、例えば基地局であってもよい。
【００５８】
ここで、図８および図９のフローチャートを参照して、幾つかの実施形態に係るネットワークノードにおける方法について説明する。方法は、ネットワークノード８２０，８５０または８７０のうちの１つにおいて実行されてもよい。
【００５９】
この開示の全体にわたって、２つのアンテナポートがコロケートされるあるいはコロケートされると想定され得ることが述べられるときは常に、このことは、一般的な意味で、第１のアンテナポートにおけるシンボルを伝送するチャネルの以下のチャネルパラメータ、すなわち、伝搬特性、つまり、
・遅延拡散
・ドップラー拡散
・信号対雑音比
・フレーム同期
のうちの少なくとも１つを、他のアンテナにおける他のシンボルを伝送するチャネルから推測できることを意味する。特定の例として、アンテナポートのセットは、それらの対応する信号が同じ送信ポイントのセットから送信される場合にコロケートされ、この場合、セットは１つ以上のポイントを備えてもよい。なお、この文脈において、アンテナポートに対応する信号（例えば、ＲＳ）は、複数のポイントから分散態様で送信されてもよい。２つのそのような分散アンテナポートは、対応する信号がポイントの同じセットから送信される場合にコロケートされると考えられる。例えば、図８を参照すると、ＣＳＩ−ＲＳ１９はポイント８３０，８４０から送信され、また、ＣＳＩ−ＲＳ２０も８３０，８４０から送信される。したがって、ＣＳＩ−ＲＳ１９，２０がコロケートされる。別の言い方をすると、２つのアンテナポートは、それらの対応する基準信号が同じ「視点」に対してマッピングされる場合にコロケートされると考えられてもよい。この場合、視点は、１つ以上のポイントの組み合わせとして規定される。
【００６０】
本方法によれば、ネットワークノードは、アンテナポートのセットが少なくとも１つのチャネル特性を共有するという表示を得る９１０。言うまでもなく、これは、セット内のアンテナポートのそれぞれに対応するチャネルが少なくとも１つのチャネル特性、すなわち伝搬パラメータを共有するということを言う単なる簡単明瞭な言い方にすぎない。前記表示が異なる方法で得られてもよい。１つの変形例では、ネットワークノードが規則に基づいてセットを決定する。他の変形例において、ネットワークノードは、他のネットワークノードから、または、記憶領域、例えばメモリまたはデータベースから表示を得る。記憶領域は、ネットワークノードの内部であってもよく、あるいは、ネットワークに接続されてもよい。
【００６１】
特定の例として、ネットワークノードは、ＣＲＳ０とＣＲＳ２とが、および、ＣＲＳ１と３とがコロケートされるべきであるという表示を得る。したがって、ＣＲＳ０とＣＲＳ２とが１つのセットを形成し、また、ＣＲＳ１とＣＲＳ３とが他のセットを形成する。これは、ポイント８３０からＣＲＳ０を送信し且つポイント８４０からＣＲＳ１を送信するネットワークノード８２０によって図８に示される。したがって、この特定のグループ分けは、２つの送信アンテナのための分散アンテナ展開と適合する。また、２つの送信アンテナが使用されるときには交差偏波アンテナがしばしば使用されるため、ポート０，１のための独立したチャネル推定を実施することが有益な場合があることが気付かされる。しかしながら、２つのアンテナにおける性能が懸案事項であれば、同様に、ポートＣＲＳ０およびＣＲＳ１と、ポートＣＲＳ２およびＣＲＳ３とをグループ分けできる。これは、分散ＣＲＳ展開を４アンテナケースに制限する。
【００６２】
他の特定の例において、表示を得ることは、直交カバー符号を使用して多重化される符号である基準信号を送信するアンテナポートが同じセットの一部であることを決定することを含む。例えば、ＣＳＩ−ＲＳの想定し得るグループ分けは（１５，１６）（１７，１８）（１９，２０）（２１，２２）であり、また、ＤＭＲＳの想定し得るグループ分けは（７，８）（９，１０）（１１，１３）（１２，１４）または（７，８，１１，１３）（９，１０，１２，１４）である。
【００６３】
想定し得るＣＳＩ−ＲＳグループ分けのうちの１つがネットワークノード８２０によって図８に示される。ＯＣＣによって同じアンテナポートから分けられるアンテナポートに対応する信号を送信する利点は、信号が同じドップラーを有するという点である。ＯＣＣは高いドップラーで非効果的であり、また、直交性が破壊される。我々がＯＣＣによって高いドップラーポートと低いドップラーポートとに分ける場合には、全ての遅いポートが速いポートによって干渉される。逆に、ＯＣＣ多重ポートがドップラーによってグループ化される場合には、対を成す遅いポートが直交性を保ち、一方、互いに相互に干渉する速いポートだけが直交性を失う。
【００６４】
この実施形態の変形例において、表示は、個々のアンテナポートではなく、アンテナポートタイプに基づく。すなわち、ステップ９１０において、ネットワークノードは、アンテナポートタイプのセットが少なくとも１つのチャネル特性を共有するという表示を得る。アンテナポートタイプは、ポートによって送信される基準信号のタイプに対応する。アンテナポートタイプの幾つかの例は、ＤＭＲＳ、ＣＳＩ−ＲＳ、または、ＣＲＳである。特定の例として、ネットワークノードは、ＣＲＳポートおよびＤＭＲＳポートがコロケートされるべきであるという表示、すなわち、全てのＣＲＳポートおよびＤＭＲＳポートが同じ送信ポイントまたはポイントのセットから送信されるべきであるという表示を得る。他の例として、ネットワークノードは、タイプＤＭＲＳのポートがコロケートされるべきであるという表示、すなわち、ＤＭＲＳを送信しているアンテナポートがコロケートされるべきであるという表示を得る。随意的に、表示が装置固有のものであってもよい。例えば、ネットワークノードは、特定の装置のためのＣＲＳポートおよびＤＭＲＳポートがコロケートされるべきであるという表示を得てもよい。この選択肢は、単一の送信ポイント８９０から無線装置８１０へと方向付けられるＣＲＳ０およびＤＭＲＳ９−１０を送信するとともに送信ポイント８８０から無線装置８１２へと方向付けられるＣＲＳ１およびＤＭＲＳ１１−１２を送信するネットワークノード８７０によって図８に示される。
【００６５】
この実施形態で適用されてもよい更なるグループ分けの例が以下の表１に示される。
表１：所定のコロケーション規則の例
2015513238.tif 000003
【００６６】
その後、ネットワークノードは、セット内のアンテナポートのうちの少なくとも２つに対応する信号を同じ１または複数の送信ポイントから送信する９２０。幾つかのアンテナポートのための信号を同じ１または複数のポイントから送信することによって、ネットワークノードは、先の定義にしたがってアンテナポートがコロケートされるようにする。これにより、無線装置、例えば装置８１０または８１２は、共有チャネル特性の合同推定を行うことができる。あるいは、限られた処理能力を有するＵＥは、アンテナポートのうちの１つ以上に対応する信号に関してチャネル特性を推定するとともに、そのような特性を利用して、他のコロケートされたアンテナポートに対応するチャネルを推定してもよい。
【００６７】
この文脈において、アンテナポートに対応する信号は、アンテナポート固有の基準信号、および、アンテナポートで送信される対応するデータを備える。
【００６８】
ここで、図８および図１０のフローチャートを参照して、幾つかの実施形態に係る無線装置におけるチャネル推定のための方法について説明する。方法は、無線装置８１０または８１２のうちの一方において実施されてもよい。
【００６９】
方法によれば、無線装置は、アンテナポートのセットまたはアンテナポートタイプのセットが少なくとも１つのチャネル特性を共有するという表示を得る１０１０。表示が異なる方法で得られてもよい。１つの変形例において、無線装置は、規則に基づいてセットを決定する。他の変形例において、無線装置は、内部記憶領域、例えばメモリまたはデータベースから表示を得る。
【００７０】
表示は、アンテナポートのセットまたはアンテナポートタイプのセットがコロケートされると見なされ得ることを示してもよい。前述したように、このことは、遅延拡散、ドップラー拡散、信号対雑音比、および、フレーム同期の特性のうちの少なくとも１つが共有されることを意味する。特定の変形例において、表示は、これらの全ての特性が共有されることを示してもよい。幾つかの特性のみが共有される場合、無線装置は、いずれの特性が共有されるのかについての表示をネットワークノードから更に得てもよい。あるいは、無線装置は、特定の特性が共有されることを想定するべく予め構成され得る。
【００７１】
特定の例において、直交カバー符号を使用して多重化された符号である基準信号を有するアンテナポートは、同じセットの一部であると見なされ、また、直交カバー符号を使用して多重化された符号ではない基準信号を有するアンテナポートは、異なるセットの一部であると見なされる。
【００７２】
ポートグループ分けの他の例は、図９に関連して前述したポートグループ分けに対応する。特に、表示が内部記憶から得られる規則に基づくときには、無線装置を扱う１または複数のネットワークノードが、同じ規則にしたがって、実際に、コロケートされると想定されるポートを同じポイントから送信することが示唆される。これは、１または複数の規則を標準規格へとエンコードすることによって確保されてもよい。
【００７３】
その後、無線装置は、セットに含まれるあるいはセット内のタイプのうちの１つに対応するタイプを有する第１のアンテナポートから受けられる第１の基準信号に基づいて、また、セットに含まれるあるいはセット内のタイプのうちの１つに対応するタイプを有する第２のアンテナポートから受けられる第２の基準信号に基づいて、共有チャネル特性のうちの１つ以上を合同で推定する１０２０。随意的に、合同推定は、セット内の１または複数のアンテナポートタイプに対応する３つ以上の基準信号に基づいてもよい。推定されるべきチャネル特性は、信号対雑音比、遅延拡散、ドップラー拡散、受信タイミング、および、有意なチャネルタップの数のうちの１つ以上であってもよい。
【００７４】
共有された特性を推定した後、無線装置は、第２の基準信号に基づいてチャネル推定を行う１０３０。チャネル推定は、少なくとも推定されたチャネル特性を使用して行なわれる。特定の実施形態において、チャネル推定を行うステップは、推定されたチャネル特性に基づいて推定フィルタを生成すること、および、チャネル推定値を得るために推定フィルタを第２の基準信号に適用することを含む。随意的に、無線装置は、第２のチャネル推定値を得るために、セット内に含まれるあるいはセット内のタイプのうちの１つに対応するタイプを有するアンテナポートから受けられる少なくとも１つの他の基準信号に対して推定フィルタを適用してもよい。
【００７５】
ここで、図８および図１１のフローチャートを参照して、幾つかの実施形態に係るネットワークノードにおける方法について説明する。方法は、ネットワークノード８２０，８５０または８７０のうちの１つで実行されてもよい。
【００７６】
方法によれば、ネットワークノードは、アンテナポートのセットまたはアンテナポートタイプのセットが少なくとも１つのチャネル特性を共有するという表示を得る１１１０。このステップは先の９１０に対応し、また、同じ変形例が適用される。
【００７７】
その後、ネットワークノードは、セット内のアンテナポートまたはアンテナポートタイプのうちの少なくとも２つに対応する信号を１または複数の同じ送信ポイントから送信する１１２０。このステップは先の９２０に対応し、また、同じ変形例が適用される。
【００７８】
その後、ネットワークノードは、アンテナポートのセットまたはアンテナポートタイプのセットの表示をアンテナノードによって扱われる少なくとも１つの無線装置、例えば無線装置８１０または８２０に対して送信する１１３０。表示は、システム情報、ＲＲＣメッセージ、あるいは、ダウンリンク制御情報に含めて送信されてもよい。
【００７９】
変形例において、表示は、１つ以上のリソースブロックグループ（ＲＢＧ）を更に示してもよく、該リソースブロックグループにわたってアンテナポートのセットまたはアンテナポートタイプのセットが少なくとも１つのチャネル特性を共有する。リソースブロックグループ（ＲＢＧ）は、必ずしも互いに隣接するとは限らない連続する物理リソースブロックのセットから成る。一般に、ＲＢＧは、システム帯域幅に応じて１〜４個のリソースブロックを備えてもよい。ネットワークノードは、それぞれのＲＢＧごとに異なるプリコーダを適用してもよく、このことは、異なるチャネル特性が各ＲＢＧごとに存在し得ることを意味する。それぞれのリソースブロックグループごとに異なる送信ポイントが使用されてもよい。
【００８０】
特定の例として、ネットワークノードは、特定のＤＭＲＳポートがサブフレームにおけるＲＢＧの所定のセットに関しておよび所定の無線装置に関して同じチャネル特性を共有することを無線装置に示してもよい。
【００８１】
他の例として、ネットワークノードは、ＲＢＧのセットがアンテナポートまたはアンテナポートタイプの所定のセットと類似するチャネル特性を共有することを無線装置に示す。
【００８２】
他の変形例では、表示が時間間隔を更に示し、この時間間隔中にアンテナポートのセットまたはアンテナポートタイプのセットが少なくとも１つのチャネル特性を共有する。ネットワークノードは、示された時間間隔中に、セット内のアンテナポートまたはセット内に含まれるタイプを有するアンテナポートのうちの少なくとも２つに対応する信号を送信ポートの同じセットから送信する１１２０。時間間隔は、例えば、サブフレームの数として示されてもよい。これにより、無線装置は、対応する推定されたチャネルを時間平均化できる。時間間隔が示されなければ、ネットワークノードは、所定の時間にわたってあるいは新たな表示が送られるまで、セット内のアンテナポートを同じ送信ポイントのセットから送信してもよい。この変形例は、ポートが類似のチャネル特性を共有するＲＢＧのセットの信号送信と併せて使用されてもよい。
【００８３】
他の変形例において、ネットワークノードは、１つ以上のアンテナポートと１つ以上の同期信号、例えばＳＳＳおよび／またはＰＳＳとの間のタイミング関係の更なる表示を送信する。これにより、無線装置は、同期信号からＲＳタイミングを推測できるとともに、前述したように合同タイミング推定を行うことができる。タイミング関係は、例えば所定のタイミング差範囲および／またはオフセットに関して示されてもよい。
【００８４】
更なる他の変形例において、表示は、広帯域フィードバック（例えば、ＰＵＣＣＨ１−１またはＰＵＣＣＨ２−１またはＰＵＣＣＨ３−１における広帯域ＰＭＩ）を報告するように装置を設定するメッセージの形態で与えられる。これは、ＵＥ固有のＤＭＲＳポートがＰＤＳＣＨ帯域幅全体にわたってコロケートされることを無線装置に示す。あるいは、最初の表示は、ＤＭＲＳがコロケートされることを示してもよい。その後、ネットワークノードは、帯域幅フィードバックを報告するように装置を設定し、また、このことは、コロケーションが帯域幅全体にわたって適用されることを示す。
【００８５】
ここで、図８および図１０のフローチャートを参照して、幾つかの実施形態に係る無線装置におけるチャネル推定のための方法について説明する。
【００８６】
該方法によれば、無線装置がネットワークノードからメッセージを受け１０１０、該メッセージは、アンテナポートのセットまたはアンテナポートタイプのセットが少なくとも１つのチャネル特性を共有するという表示を備える。表示は、アンテナポートのセットまたはアンテナポートタイプのセットがコロケートされると見なされ得ること、すなわち、全てのチャネル特性が共有されることを示してもよい。
【００８７】
その後、無線装置は、前述したように、共有されたチャネル特性のうちの１つ以上を合同推定する１０２０。
【００８８】
共有された特性を推定した後、無線装置は、前述した方法と同じ方法で、第２の基準信号に基づいてチャネル推定を行う１０３０。
【００８９】
変形例において、表示は、１つ以上のリソースブロックグループ（ＲＢＧ）を更に示し、該リソースブロックグループにわたってアンテナポートのセットまたはアンテナポートタイプのセットが少なくとも１つのチャネル特性を共有する。特定の例として、無線装置は、特定のＤＭＲＳポートがサブフレームにおけるＲＢＧの所定のセットに関して同じチャネル特性を共有するという表示を受けてもよい。その後、ステップ１０２０において、無線装置は、ＲＢＧの所定のセットにわたって共有された特性を推定する。無線装置は、残りのＲＢＧにわたって、チャネル特性の個々の推定を行う。
【００９０】
他の例として、ネットワークノードは、ＲＢＧのセットがアンテナポートまたはアンテナポートタイプの所定のセットと類似するチャネル特性を共有することを無線装置に示す。
【００９１】
他の変形例では、表示が時間間隔を更に示し、この時間間隔中にアンテナポートのセットまたはアンテナポートタイプのセットが少なくとも１つのチャネル特性を共有する。その後、チャネル推定器は、対応するチャネル推定値を時間平均化してもよい。時間間隔は、例えば、サブフレームの数として示されてもよい。時間間隔が示されなければ、無線装置は、所定の時間中にあるいは新たな表示が受けられるまでチャネル特性が共有されると想定してもよい。この変形例は、ポートが類似のチャネル特性を共有するＲＢＧのセットの表示を受けることと併せて使用されてもよい。
【００９２】
他の変形例において、無線装置は、１つ以上のアンテナポートと１つ以上の同期信号、例えばＳＳＳおよび／またはＰＳＳとの間のタイミング関係の更なる表示を受ける。無線装置は、同期信号からＲＳタイミングを推測でき、また、ステップ１０２０において、無線装置は、前述したように合同タイミング推定も行う。
【００９３】
更なる他の変形例において、表示は、広帯域フィードバック（例えば、ＰＵＣＣＨ１−１またはＰＵＣＣＨ２−１またはＰＵＣＣＨ３−１における広帯域ＰＭＩ）を報告するように装置を設定するメッセージの形態で受けられる。これは、ＵＥ固有のＤＭＲＳポートがＰＤＳＣＨ帯域幅全体にわたってコロケートされることを無線装置に示す。あるいは、無線装置は、ＤＭＲＳがコロケートされるという最初の表示を得る（この表示は、前述した方法のうちのいずれかで得られてもよい）。その後、無線装置は、帯域幅フィードバックを報告するように装置を設定するメッセージを受け、また、これは、コロケーションが帯域幅全体にわたって適用されることを無線装置に示す。
【００９４】
図９〜図１１に関連して説明される実施形態では、無線装置が、合同推定を適用すること、すなわち、合同推定値を形成するために組み合わされる幾つかの基準信号に基づいて測定を行うことが想定されてきた。これは、精度の向上をもたらす。しかしながら、他の可能性は、１つの基準信号に基づいて共有された特性を推定し、その後、他の基準信号に基づいてチャネル推定を行うときに推定された特性を適用することである。これは、少ない測定を行えば済むため、性能の向上をもたらし得る。
【００９５】
幾つかの実施形態によれば、チャネル推定を行うための無線装置、例えばＵＥにおける方法が提供される。この方法が図１２に示される。
【００９６】
無線装置は、基準信号（ＲＳ）ポートのセットが少なくとも１つのチャネル特性またはチャネルパラメータを共有することを示す情報を得る。
【００９７】
変形例において、無線装置は、基準信号ポートのセットを示す情報をネットワークノード、例えばｅＮＢなどの基地局から受ける。セットがインデックスと関連付けられてもよく、また、このとき、情報は、１つ以上のＲＳポートがインデックスと関連付けられるという表示を含んでもよい。情報を表わす様々な他の方法が可能であり、また、これについては以下で説明する。情報は、ＲＲＣメッセージまたはＤＣＩフォーマットで構成されてもよい。
【００９８】
他の変形例において、無線装置は、規則または予め決められたマッピングに基づいて少なくとも１つのチャネル特性を共有するＲＳポートのセットを決定する。例えば、無線装置は、直交符号を使用して互いに符号分割多重化されるＲＳポートが同じチャネル特性を共有することを想定してもよい。
【００９９】
その後、無線装置は、セット内のポートに対応する基準信号に関して共有されたチャネル特性の合同推定を行う。
【０１００】
基準信号のセットは、同等に、基準信号のグループと称されてもよい。
【０１０１】
幾つかの実施形態によれば、ネットワークノード、例えばｅＮＢなどの基地局における方法が提供される。この方法が図１３に示される。
【０１０２】
ネットワークノードは、少なくとも１つのチャネル特性またはチャネルパラメータを共有する基準信号（ＲＳ）ポートのセットを決定する。１つの例において、ネットワークノードは、同じ送信ポイントまたは送信ポイントのセットから送信されるＲＳポートが同じセットの一部であることを決定する。セットを決定する他の方法が可能であり、これについては後述する。
【０１０３】
その後、ネットワークノードは、ＲＳポートのセットを示す情報を無線装置に送信し、それにより、無線装置は、セット内のポートに対応するＲＳに関して合同チャネル推定を行うことができる。セットがインデックスと関連付けられてもよく、また、このとき、情報は、１つ以上のＲＳポートがインデックスと関連付けられるという表示を含んでもよい。情報を表わす様々な他の方法が可能であり、また、これについては以下で説明する。情報は、ＲＲＣメッセージまたはＤＣＩフォーマットで構成されてもよい。
【０１０４】
説明した解決策は、任意の適した通信標準規格をサポートするとともに任意の適した構成要素を使用する任意の適切なタイプの遠隔通信システムで実施されてもよいが、説明した解決策の特定の実施形態は、図８に示されるネットワークまたは図１４に示されるネットワークなどのダウンリンクＣｏＭＰを使用するＬＴＥネットワークで実施されてもよい。
【０１０５】
ネットワークの例は、無線装置間または無線装置と他の通信装置（ランドライン電話など）との間の通信をサポートするのに適した任意の更なる要素を更に含んでもよい。図示の無線装置は、ハードウェアおよび／またはソフトウェアの任意の適した組み合わせを含む通信装置に相当してもよいが、特定の実施形態において、この無線装置は、図１６によって更に詳しく示される一例の無線装置１６００などの装置に相当してもよい。同様に、図示のネットワークノードは、ハードウェアおよび／またはソフトウェアの任意の適した組み合わせを含むネットワークノードに相当してもよいが、特定の実施形態において、これらのネットワークノードは、図１５によって更に詳しく示される一例のネットワークノード１５００などの装置に相当してもよい。
【０１０６】
図１６に示されるように、一例の無線装置１６００は、処理回路１６２０、メモリ１６３０、無線回路１６１０、および、少なくとも１つのアンテナを含む。無線回路は、ＲＦ回路とベースバンド処理回路（図示せず）とを備えてもよい。特定の実施形態において、モバイル通信装置または他の形態の無線装置によって与えられるような前述した機能性のうちの一部または全部は、図１６に示されるメモリ１６３０などのコンピュータ可読媒体に記憶された命令を実行する処理回路１６２０によって与えられてもよい。無線装置１６００の別の実施形態は、図１６に示される構成要素の他に、前述した機能性のいずれかおよび／または前述した解決策をサポートするために必要な任意の機能性を含む無線装置の機能性の特定の態様を与えることに関与してもよい更なる構成要素を含んでもよい。
【０１０７】
更に図１６を参照すると、幾つかの実施形態は、チャネル推定を行うための無線装置１６００を提供する。装置は、無線回路１６１０と処理回路１６２０とを備える。処理回路１６２０は、チャネル解析器１６４０とチャネル推定器１６５０とを更に備える。
【０１０８】
処理回路１６２０は、アンテナポートのセットまたはアンテナポートタイプのセットが少なくとも１つのチャネル特性を共有するという表示を得るように構成される。幾つかの変形例において、処理回路１６２０は、無線回路１６１０を介してメッセージを受けることによって表示を得るように構成される。他の変形例において、処理回路１６２０は、規則に基づいてアンテナポートのセットまたはアンテナポートタイプのセットを決定するように構成される。
【０１０９】
チャネル解析器１６４０は、セットに含まれるあるいはセット内のタイプのうちの１つに対応するタイプを有する第１のアンテナポートから送信される第１の基準信号に少なくとも基づいて共有されたチャネル特性のうちの１つ以上を推定するように構成され、この場合、第１の基準信号は無線回路１６１０を介して受信される。チャネル推定器１６５０は、セットに含まれるあるいはセット内のタイプのうちの１つに対応するタイプを有する第２のアンテナポートから送信される第２の基準信号に少なくとも基づいてチャネル推定を行うように構成され、この場合、チャネル推定は、少なくとも推定されたチャネル特性を使用して行なわれ、また、第２の基準信号は無線回路１６１０を介して受信される。
【０１１０】
幾つかの変形例において、チャネル解析器１６４０は、第２の基準信号と、セットに含まれるあるいはセット内のタイプのうちの１つに対応するタイプを有するそれぞれのアンテナポートから受信される１つ以上の更なる基準信号とに基づいて、共有されたチャネル特性のうちの１つ以上の合同推定を行うように構成される。１つ以上の更なる基準信号は、第１の基準信号を備えてもよい。
【０１１１】
特定の実施形態において、チャネル推定器１６５０は、推定されたチャネル特性に基づいて推定フィルタを生成するとともに、チャネル推定値を得るために推定フィルタを第２の基準信号に適用するように構成される。チャネル推定器１６５０は、第２のチャネル推定値を得るために、セットに含まれるあるいはセット内のタイプのうちの１つに対応するタイプを有するアンテナポートから受信される少なくとも１つの他の基準信号に対して推定フィルタを適用するように更に構成されてもよい。
【０１１２】
特定の実施形態において、処理回路１６２０は、アンテナポートのセットまたはアンテナポートタイプのセットが少なくとも１つのチャネル特性をグループ全体に共有する１つ以上のリソースブロックグループの表示を受けるとともに、リソースブロックグループの示されたセットにわたって１つ以上のチャネル特性を推定するように更に構成される。
【０１１３】
特定の実施形態において、処理回路１６２０は、アンテナポートのセットまたはアンテナポートタイプのセットが少なくとも１つのチャネル特性をその間にわたって共有する時間間隔の表示を受けるとともに、示された時間間隔中に場合により時間平均化により１つ以上のチャネル特性を推定するように更に構成される。
【０１１４】
図１５に示されるように、一例のネットワークノード１５００は、処理回路１５２０、メモリ１５３０、無線回路１５１０、および、少なくとも１つのアンテナを含む。処理回路１５２０は、ＲＦ回路とベースバンド処理回路（図示せず）とを備えてもよい。特定の実施形態において、移動基地局、基地局コントローラ、リレーノード、ＮｏｄｅＢ、エンハンスドＮｏｄｅＢ、および／または、任意の他のタイプの移動体通信ノードによって与えられるような前述した機能性のうちの一部または全部は、図１５示されるメモリ１５３０などのコンピュータ可読媒体に記憶された命令を実行する処理回路１５２０によって与えられてもよい。ネットワークノード１５００の別の実施形態は、先に特定された任意の機能性および／または前述した解決策をサポートするために必要な任意の機能性を含む更なる機能性を与えることに関与する更なる構成要素を含んでもよい。
【０１１５】
もう一度図１５のブロック図を参照すると、幾つかの実施形態は、無線回路１５１０と処理回路１５２０とを備えるネットワークノード１５００を提供する。処理回路１５２０は、アンテナポートのセットまたはアンテナポートタイプのセットが少なくとも１つのチャネル特性を共有するという表示を得るように構成される。幾つかの変形例において、処理回路１５２０は、直交カバー符号を使用して多重化される符号である基準信号を送信するアンテナポートが同じセットの一部であることを決定することによって表示を得るように構成される。アンテナポートタイプは、ポートによって送信される基準信号のタイプに対応するとともに、ＤＭＲＳ、ＣＳＩ−ＲＳ、ＣＲＳのうちの１つ以上を備える。
【０１１６】
処理回路は、セット内のアンテナポートまたはセット内に含まれるタイプを有するアンテナポートのうちの少なくとも２つを同じ送信ポイントから無線回路１５１０を介して送信するように更に構成される。
【０１１７】
１つの変形例において、処理回路１５２０は、アンテナポートのセットまたはアンテナポートタイプのセットの表示を無線回路１５１０を介してネットワークノードにより扱われる少なくとも１つの無線装置へ送信するように構成される。処理回路１５２０は、システム情報、ＲＲＣメッセージ、またはダウンリンク制御情報に含めて表示を送信するように構成されてもよい。
【０１１８】
幾つかの変形例において、表示は、アンテナポートのセットまたはアンテナポートタイプのセットがグループ全体に少なくとも１つのチャネル特性を共有する１つ以上のリソースブロックグループを更に示す。このとき、処理回路１５２０は、セット内のアンテナポートまたはセット内に含まれるタイプを有するアンテナポートのうちの少なくとも２つに対応する信号を、無線回路１５１０を介して、同じ送信ポイントのセットから、示されるリソースブロックグループにわたって送信するように構成される。
【０１１９】
幾つかの変形例において、表示は、アンテナポートのセットまたはアンテナポートタイプのセットが少なくとも１つのチャネル特性をその間にわたって共有する時間間隔を更に示し、また、処理回路１５２０は、セット内のアンテナポートまたはセット内に含まれるタイプを有するアンテナポートのうちの少なくとも２つに対応する信号を、無線回路１５１０を介して、同じ送信ポイントのセットから、示される時間間隔中に送信するように構成される。
【０１２０】
前述した実施形態の変更例および他の変形例は、前述の説明および関連する図面で与えられる教示の利点を有する当業者には想起可能である。したがって、実施形態が開示される特定の例に限定されるべきでなく、また、変更例または他の変形例がこの開示の範囲内に含まれるように意図されることは言うまでもない。本明細書中で特定の用語が使用される場合があるが、これらの用語は、一般的な説明的意味でのみ使用され、限定を目的とするものではない。
【０１２１】
特に、本明細書中に開示される様々な例がユーザ機器（ＵＥ）に言及するが、これは限定として解釈されるべきではない。方法および概念が一般に無線装置に適用されるのが分かる。また、本明細書中のどこの例で「ネットワーク」により行なわれる動作に言及しようとも、多くの実施において、そのような動作は、ネットワークノード、特にｅＮＢなどの基地局により行なわれる。
【０１２２】
この開示の全体にわたって、ネットワーク内のノードまたはポイントは、しばしば、特定のタイプ、例えば「マクロ」または「ピコ」と称される。別段に明示的に述べられなければ、これは、ネットワーク内のノード／ポイントの役割の絶対的定量として解釈されるべきでなく、むしろ、異なるノード／ポイントの互いに対する役割を論じる都合の良い方法として解釈されるべきである。したがって、マクロおよびピコに関する議論は、例えば、マクロとフェムトとの間の相互作用に適用できるのが適当である。
【０１２３】
なお、本明細書中では、開示される概念を例示するために３ＧＰＰ  ＬＴＥからの専門用語を使用してきたが、これは、この開示の範囲を前述したシステムのみに限定すると見なされるべきでない。ＷＣＤＭＡ、ＷｉＭａｘ、ＵＭＢ、および、ＧＳＭを含む他の無線システムもこの開示内で取り上げられた考えを利用することにより利益を得ることができる。
【０１２４】
本明細書中で使用される用語「備える」または「備えている」は、非限定的として解釈されるように、すなわち、「少なくとも〜から成る」を意味するように意図される。
【図１】
2015513238.tif 000004
【図２】
2015513238.tif 000005
【図３】
2015513238.tif 000006
【図４】
2015513238.tif 000007
【図５】
2015513238.tif 000008
【図６】
2015513238.tif 000009
【図７】
2015513238.tif 000010
【図８】
2015513238.tif 000011
【図９】
2015513238.tif 000012
【図１０】
2015513238.tif 000013
【図１１】
2015513238.tif 000014
【図１２】
2015513238.tif 000015
【図１３】
2015513238.tif 000016
【図１４】
2015513238.tif 000017
【図１５】
2015513238.tif 000018
【図１６】
2015513238.tif 000019
【手続補正書】
【提出日】平成25年12月3日(2013.12.3)
【手続補正１】
【補正対象書類名】特許請求の範囲
【補正対象項目名】全文
【補正方法】変更
【補正の内容】
【特許請求の範囲】
【請求項１】
無線装置におけるチャネル推定のための方法であって、
−アンテナポートのセットまたはアンテナポートタイプのセットが少なくとも１つのチャネル特性を共有するという表示を得るステップ（１０１０）と、
−セットに含まれるあるいはセット内のタイプのうちの１つに対応するタイプを有する第１のアンテナポートから受けられる第１の基準信号に少なくとも基づいて、共有されたチャネル特性のうちの１つ以上を推定するステップ（１０２０）と、
−セットに含まれるあるいはセット内のタイプのうちの１つに対応するタイプを有する第２のアンテナポートから受けられる第２の基準信号に基づいてチャネル推定を行うステップ（１０３０）であって、チャネル推定が少なくとも推定されたチャネル特性を使用して行なわれるステップ（１０３０）と
を備える方法。
【請求項２】
共有されたチャネル特性のうちの１つ以上の推定は、前記第２の基準信号と、セットに含まれるあるいはセット内のタイプのうちの１つに対応するタイプを有するそれぞれのアンテナポートから受けられる１つ以上の更なる基準信号とに基づいて合同で行なわれる、請求項１に記載の方法。
【請求項３】
前記１つ以上の更なる基準信号が第１の基準信号を備える請求項２に記載の方法。
【請求項４】
チャネル推定を行う前記ステップは、
−推定されたチャネル特性に基づいて推定フィルタを生成するステップと、
−チャネル推定値を得るために前記推定フィルタを前記第２の基準信号に適用するステップと
を備える、請求項１から３のいずれか一項に記載の方法。
【請求項５】
第２のチャネル推定値を得るために、セットに含まれるあるいはセット内のタイプのうちの１つに対応するタイプを有するアンテナポートから受けられる少なくとも１つの他の基準信号に対して前記推定フィルタを適用するステップを更に備える請求項４に記載の方法。
【請求項６】
前記表示は、アンテナポートのセットまたはアンテナポートタイプのセットがコロケートされると見なされ得ることを示す、請求項１から５のいずれか一項に記載の方法。
【請求項７】
表示を得る前記ステップ（１０１０）は、ネットワークノードからメッセージを受けるステップを備える、請求項１から６のいずれか一項に記載の方法。
【請求項８】
前記表示は、アンテナポートのセットまたはアンテナポートタイプのセットが少なくとも１つのチャネル特性を共有している１つ以上のリソースブロックグループを更に示し、示されたリソースブロックグループ全体に前記推定するステップ（１０２０）を行う、請求項７に記載の方法。
【請求項９】
前記表示は、アンテナポートのセットまたはアンテナポートタイプのセットが少なくとも１つのチャネル特性を共有している時間間隔を更に示し、示された時間間隔の間に前記推定するステップ（１０２０）を行う、請求項７または請求項８に記載の方法。
【請求項１０】
表示を得る前記ステップ（１０１０）は、規則に基づいてアンテナポートのセットまたはアンテナポートタイプのセットを決定するステップを備える、請求項１から６のいずれか一項に記載の方法。
【請求項１１】
直交カバー符号を使用して多重化された符号である基準信号を有するアンテナポートを同じセットの一部であると見なし、直交カバー符号を使用して多重化された符号ではない基準信号を有するアンテナポートを異なるセットの一部であると見なす、請求項１０に記載の方法。
【請求項１２】
前記チャネル特性は、信号対雑音比、遅延拡散、ドップラー拡散、受信されるタイミング、有意なチャネルタップの数のうちの１つ以上である、請求項１から１１のいずれか一項に記載の方法。
【請求項１３】
ネットワークノードにおける方法であって、
−アンテナポートのセットまたはアンテナポートタイプのセットがチャネル特性の限られたセットを共有するという表示を得るステップ（９１０，１１１０）と、
−アンテナポートのセットまたはアンテナポートタイプのセットの表示を、前記ネットワークノードにより扱われる少なくとも１つの無線装置へ送信するステップ（１１３０）と
を備える方法。
【請求項１４】
表示を得る前記ステップ（９１０，１１１０）は、直交カバー符号を使用して多重化された符号である基準信号を送信するアンテナポートが同じセットの一部であることを決定するステップを備える、請求項１３に記載の方法。
【請求項１５】
前記表示は、システム情報、ＲＲＣメッセージ、または、ダウンリンク制御情報に含めて送信される、請求項１３または請求項１４に記載の方法。
【請求項１６】
前記表示は、アンテナポートのセットまたはアンテナポートタイプのセットが少なくとも１つのチャネル特性を共有している１つ以上のリソースブロックグループを更に示し、前記ネットワークノードは、セット内のアンテナポートまたはセット内に含まれるタイプを有するアンテナポートのうちの少なくとも２つに対応する信号を、同じ送信ポイントのセットから、示されたリソースブロックグループ全体に送信する（９２０，１１２０）、請求項１５に記載の方法。
【請求項１７】
前記表示は、アンテナポートのセットまたはアンテナポートタイプのセットがチャネル特性の限られたセットを共有している時間間隔を更に示し、前記ネットワークノードは、セット内のアンテナポートまたはセット内に含まれるタイプを有するアンテナポートのうちの少なくとも２つに対応する信号を、同じ送信ポイントのセットから、示された時間間隔の間に送信する（９２０，１１２０）、請求項１５または請求項１６に記載の方法。
【請求項１８】
前記アンテナポートタイプは、ポートにより送信される基準信号のタイプに対応するとともに、ＤＭＲＳ、ＣＳＩ−ＲＳ、ＣＲＳのうちの１つ以上を備える、請求項１３から１７のいずれか一項に記載の方法。
【請求項１９】
チャネル推定を行うための無線装置（１６００）であって、無線回路（１６１０）と処理回路（１６２０）とを備え、前記処理回路（１６２０）がチャネル解析器（１６４０）とチャネル推定器（１６５０）とを更に備えており、
−前記処理回路（１６２０）は、アンテナポートのセットまたはアンテナポートタイプのセットが少なくとも１つのチャネル特性を共有するという表示を得るように構成されており、
−前記チャネル解析器（１６４０）は、セットに含まれるあるいはセット内のタイプのうちの１つに対応するタイプを有する第１のアンテナポートから送信される第１の基準信号に少なくとも基づいて、共有されたチャネル特性のうちの１つ以上を推定するように構成されており、前記第１の基準信号は前記無線回路（１６１０）を介して受けられ、
−前記チャネル推定器（１６５０）は、セットに含まれるあるいはセット内のタイプのうちの１つに対応するタイプを有する第２のアンテナポートから送信される第２の基準信号に基づいてチャネル推定を行うように構成されており、チャネル推定は、少なくとも推定されたチャネル特性を使用して行なわれ、前記第２の基準信号は前記無線回路（１６１０）を介して受けられる、
無線装置（１６００）。
【請求項２０】
無線回路（１５１０）と処理回路（１５２０）とを備え、前記処理回路（１５２０）が、
−アンテナポートのセットまたはアンテナポートタイプのセットがチャネル特性の限られたセットを共有するという表示を得、
−アンテナポートのセットまたはアンテナポートタイプのセットの表示を、前記ネットワークノードにより扱われる少なくとも１つの無線装置へ送信する
ように構成されている、ネットワークノード（１５００）。
【国際調査報告】
2015513238.tif 000020
2015513238.tif 000021
2015513238.tif 000022
2015513238.tif 000023
2015513238.tif 000024